(57)【要約】      （修正有）【課題】複数のショ−ケースに対する制御を行う上位コントローラから非冷終了指令が実施されなかった場合でも、自発的に非冷処理から冷却処理へ移行可能とするショーケースを提供する。【解決手段】上位コントローラからの非冷開始指令及び非冷終了指令に従って非冷処理を行う制御部２０８３ａと、庫内温度を取得する取得部２０８６ａと、取得部２０８６ａにより取得された庫内温度が設定温度に対して温度閾値以上であるかを判定することで、フェイルセーフ制御の実施要否を判定する判定部２０８７ａとを備え、制御部２０８３ａは、判定部２０８７ａによりフェイルセーフ制御の実施要と判定された場合に、非冷処理を終了して冷却処理を行う。【選択図】図４
2020180757.tif 000002
【特許請求の範囲】
【請求項１】
上位コントローラからの非冷開始指令及び非冷終了指令に従って非冷処理を行う制御部と、
庫内温度を取得する取得部と、
前記取得部により取得された庫内温度が設定温度に対して温度閾値以上であるかを判定することで、フェイルセーフ制御の実施要否を判定する判定部とを備え、
前記制御部は、前記判定部によりフェイルセーフ制御の実施要と判定された場合に、非冷処理を終了して冷却処理を行う
ことを特徴とするショーケース。
【請求項２】
前記判定部は、前記取得部により取得された庫内温度が設定温度に対して温度閾値以上である時間が時間閾値以上である場合に、フェイルセーフ制御の実施要と判定する
ことを特徴とする請求項１記載のショーケース。
【請求項３】
上位コントローラからの非冷開始指令及び非冷終了指令に従って非冷処理を行う制御部と、
前記上位コントローラから定時電文を受信する通信部と、
前記制御部による非冷処理の開始後、前記通信部による定時電文の受信が無く且つ非冷終了時刻に相当する時刻を経過した場合に、フェイルセーフ制御の実施要と判定する判定部とを備え、
前記制御部は、前記判定部によりフェイルセーフ制御の実施要と判定された場合に、非冷処理を終了して冷却処理を行う
ことを特徴とするショーケース。
【発明の詳細な説明】
【技術分野】
【０００１】
この発明は、非冷処理を行うショーケースに関する。
【背景技術】
【０００２】
陳列された商品に対して冷蔵又は冷凍を行うショーケースは、基本的に２４時間稼働し続けており、食品スーパ等の施設において多くのエネルギーを消費する代表的な設備である。一方で、複数のショーケースに対する制御を行う上位コントローラでは、省エネのため、ショーケースに対して所定期間に非冷処理を実施させる非冷スケジュール制御を行っている。
【０００３】
一方、上位コントローラは、非冷スケジュール制御において、停電等により非冷終了指令を実施できなかった場合、復電等した後でも非冷終了指令を再実施することはない。
【０００４】
例えば図１１では、上位コントローラが、あるショーケースに対し、８：００から８：１０の期間を非冷処理を実施させる期間として設定している。この状況において、上位コントローラが、８：０５に停電し、８：１５に復電したとする。この場合、８：１０の時点では、上位コントローラは停電状態であるため、上位コントローラからショーケースに対して非冷終了指令は実施されず、ショーケースは８：１０以降も非冷処理を継続する。その後、上位コントローラは８：１５に復電するが、上位コントローラからショーケースに対して非冷終了指令は再実施されないため、ショーケースは８：１５以降も非冷処理を継続する。よって、ショーケースの非冷状態は、次の非冷終了指令を受けるまで又はユーザにより冷却処理に移行されるまで、継続することになる。
【０００５】
このように、図１１の例では、非冷処理はたった１０分実施される予定であったところ、本来予定していた非冷終了時刻を過ぎても長時間非冷状態のままとなる。よって、ショーケースの庫内温度が上昇し、庫内に陳列された商品の品質を損なう可能性がある。
【０００６】
なお、冷却庫が冷却不良に陥った場合に、自動的に制御方法を切替えることで、冷却不良状態から速やかに状態回復可能とする制御装置が知られている（例えば特許文献１参照）。しかしながら、この特許文献１に開示された制御装置は、冷却運転中を対象としており、非冷処理中に対する異常には対応できない。
【先行技術文献】
【特許文献】
【０００７】
【特許文献１】特開２０１６−８０３０６号公報
【発明の概要】
【発明が解決しようとする課題】
【０００８】
このように、従来技術では、ショーケースが非冷処理中において、上位コントローラから非冷終了指令が実施されなかった場合に、自発的に非冷処理から冷却処理へ移行できない。
【０００９】
この発明は、上記のような課題を解決するためになされたもので、上位コントローラから非冷終了指令が実施されなかった場合でも、自発的に非冷処理から冷却処理へ移行可能とするショーケースを提供することを目的としている。
【課題を解決するための手段】
【００１０】
この発明に係るショーケースは、上位コントローラからの非冷開始指令及び非冷終了指令に従って非冷処理を行う制御部と、庫内温度を取得する取得部と、取得部により取得された庫内温度が設定温度に対して温度閾値以上であるかを判定することで、フェイルセーフ制御の実施要否を判定する判定部とを備え、制御部は、判定部によりフェイルセーフ制御の実施要と判定された場合に、非冷処理を終了して冷却処理を行うことを特徴とする。
【発明の効果】
【００１１】
この発明によれば、上記のように構成したので、上位コントローラから非冷終了指令が実施されなかった場合でも、自発的に非冷処理から冷却処理へ移行可能となる。
【図面の簡単な説明】
【００１２】
【図１】実施の形態１に係る冷却システムの構成例を示す図である。
【図２】実施の形態１に係る上位コントローラの構成例を示す図である。
【図３】実施の形態１に係るショーケースの構成例を示す図である。
【図４】実施の形態１に係るショーケースコントローラの構成例を示す図である。
【図５】実施の形態１に係るショーケースコントローラの動作例を示すフローチャートである。
【図６】実施の形態１に係るショーケースコントローラの動作例を示す図である。
【図７】実施の形態２に係る上位コントローラの構成例を示す図である。
【図８】実施の形態２に係るショーケースコントローラの構成例を示す図である。
【図９】実施の形態２に係るショーケースコントローラの動作例を示すフローチャートである。
【図１０】図１０Ａ、図１０Ｂは、実施の形態１，２に係るショーケースコントローラのハードウェア構成例を示す図である。
【図１１】従来の課題を説明するための図である。
【発明を実施するための形態】
【００１３】
以下、この発明の実施の形態について図面を参照しながら詳細に説明する。
実施の形態１．
図１は実施の形態１に係る冷却システムの構成例を示す図である。
冷却システムは、図１に示すように、上位コントローラ１及び複数のショーケース２を備えている。図１では、１台の上位コントローラ１に対して３台のショーケース２が接続された場合を示しているが、１台の上位コントローラ１に対して接続されるショーケース２の台数はこれに限らない。
【００１４】
上位コントローラ１は、複数のショーケース２に対する制御を行う。以下では、上位コントローラ１が有する機能のうち、非冷制御に関する機能についてのみ説明を行う。上位コントローラ１は、図２に示すように、スケジュール設定部１０１ａ、非冷電文生成部１０２ａ及び通信部１０３ａを備えている。
【００１５】
スケジュール設定部１０１ａは、ショーケース２毎に、ショーケース２に対する非冷制御に関するスケジュールを設定する。
【００１６】
非冷電文生成部１０２ａは、ショーケース２に対する非冷制御に関する指令を示す電文を生成する。すなわち、非冷電文生成部１０２ａは、非冷開始指令を示す電文及び非冷終了指令を示す電文を生成する。非冷開始指令は、ショーケース２に非冷処理を開始させるための指令である。非冷終了指令は、ショーケース２に非冷処理を終了させるための指令である。
【００１７】
通信部１０３ａは、上位コントローラ１とショーケース２との間で通信を行う。この通信部１０３ａは、スケジュール設定部１０１ａにより設定されたスケジュールに従い、非冷電文生成部１０２ａにより生成された電文を該当するショーケース２に送信する。すなわち、通信部１０３ａは、スケジュールが示す非冷開始時刻に、非冷電文生成部１０２ａにより生成された非冷開始指令を示す電文を該当するショーケース２に送信する。また、通信部１０３ａは、スケジュールが示す非冷終了時刻に、非冷電文生成部１０２ａにより生成された非冷終了指令を示す電文を該当するショーケース２に送信する。
【００１８】
ショーケース２は、陳列された商品に対して冷蔵又は冷凍を行う設備である。図１，３では、エアカーテンを形成することで、商品が陳列される陳列棚２０１を外気と遮断するオープン型のショーケース２を示している。図３に示すショーケース２には、底面、背面及び天面に沿って通風路２０２が形成されている。通風路２０２の一端には吹き出し口２０３が形成され、通風路２０２の他端には吸込み口２０４が形成されている。図３に示すショーケース２では、吹き出し口２０３と吸込み口２０４との間に冷気を流すことで、エアカーテンが形成される。
【００１９】
また、図３に示すショーケース２には、後述する冷却器２０５に、冷媒を介して冷凍機３が接続されている。図３では、ショーケース２と冷凍機３とが別体に構成された場合を示しているが、冷凍機３が内蔵されたショーケース２を用いてもよい。
【００２０】
図３に示すショーケース２は、冷却器２０５、空気循環用ファン２０６、サーミスタ（温度計測部）２０７及びショーケースコントローラ２０８を備えている。
【００２１】
冷却器２０５は、通風路２０２内に設けられ、通風路２０２内の空気を冷却する。冷却器２０５は蒸発器（不図示）を有し、蒸発器により冷凍機３からの冷媒を気化することで、その際の気化熱により吸熱を行う。
【００２２】
空気循環用ファン２０６は、通風路２０２内に設けられ、冷却器２０５により冷却された空気を循環させるように送風を行う。
【００２３】
サーミスタ２０７は、ショーケース２の庫内温度を計測する。図３では、サーミスタ２０７は吹き出し口２０３付近に設けられている。しかしながら、これに限らず、ショーケース２の庫内温度を計測可能な箇所に配置されていればよく、例えばサーミスタ２０７は吸込み口２０４付近に設けられていてもよい。サーミスタ２０７により計測された庫内温度を示す情報は、ショーケースコントローラ２０８に出力される。
【００２４】
ショーケースコントローラ２０８は、ショーケース２に対する冷却制御を行う。以下では、ショーケースコントローラ２０８が有する機能のうち、非冷制御に関する機能についてのみ説明を行う。ショーケースコントローラ２０８の詳細については後述する。
【００２５】
また、冷凍機３は、冷却器２０５との間で冷媒の循環を行う。冷凍機３は、図３に示すように、圧縮機３０１、ファン３０２、圧縮機用インバータ３０３及びファン用インバータ３０４を備えている。
【００２６】
圧縮機３０１は、冷却器２０５により気化された冷媒を圧縮する。
ファン３０２は、圧縮機３０１により圧縮された冷媒に対して送風を行う。
その後、冷媒は、凝縮器（不図示）により放熱されて液化され、膨張弁（不図示）により減圧された後、冷却器２０５に送られる。
【００２７】
圧縮機用インバータ３０３は、圧縮機３０１の出力を制御する。圧縮機用インバータ３０３は、ショーケースコントローラ２０８からの制御に基づいて、圧縮機３０１の出力を制御する。
ファン用インバータ３０４は、ファン３０２の出力を制御する。ファン用インバータ３０４は、ショーケースコントローラ２０８からの制御に基づいて、ファン３０２の出力を制御する。
【００２８】
次に、ショーケースコントローラ２０８の詳細について、図４を参照しながら説明する。
ショーケースコントローラ２０８は、図４に示すように、記憶部２０８１ａ、通信部２０８２ａ、制御部２０８３ａ、制御設定部２０８４ａ、閾値設定部２０８５ａ、取得部２０８６ａ及び判定部２０８７ａを備えている。
【００２９】
記憶部２０８１ａは、ショーケースコントローラ２０８で扱う各種のデータを記憶する。
記憶部２０８１ａとしては、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の不揮発性又は揮発性の半導体メモリ、磁気ディスク、フレキシブルディスク、光ディスク、コンパクトディスク、ミニディスク、又はＤＶＤ（Ｄｉｇｉｔａｌ  Ｖｅｒｓａｔｉｌｅ  Ｄｉｓｃ）等が該当する。
【００３０】
なおここでは、記憶部２０８１ａがショーケース２の内部に設けられた場合を示している。しかしながら、これに限らず、記憶部２０８１ａはショーケース２の外部に設けられていてもよい。
【００３１】
通信部２０８２ａは、ショーケース２と上位コントローラ１との間で通信を行う。この通信部２０８２ａは、上位コントローラ１から電文を受信する。
【００３２】
制御部２０８３ａは、上位コントローラ１からの指令に従って非冷処理を行う。すなわち、制御部２０８３ａは、上位コントローラ１からの非冷開始指令に従って、冷却処理を終了して非冷処理を開始する。また、制御部２０８３ａは、上位コントローラ１からの非冷終了指令に従って、非冷処理を終了して冷却処理を開始する。
また、制御部２０８３ａは、判定部２０８７ａによりフェイルセーフ制御の実施要と判定された場合に、非冷処理を終了して冷却処理を開始する。
【００３３】
制御設定部２０８４ａは、ユーザによる指示に従い又は自動で、フェイルセーフ制御を有効又は無効に設定する。フェイルセーフ制御は、ショーケース２が、非冷処理を実施中に、上位コントローラ１から非冷終了指令が無い場合でも、自発的に非冷処理を終了して冷却処理を開始する制御を指す。なお、ショーケース２に商品が陳列されていない場合等のように、非冷処理が本来よりも長く継続されても問題がない場合等には、制御設定部２０８４ａは、フェイルセーフ制御を無効に設定してもよい。
【００３４】
なお、制御設定部２０８４ａは、ショーケースコントローラ２０８に必須の構成ではなく、ショーケースコントローラ２０８から取除かれていてもよい。この場合、フェイルセーフ制御は常に有効とされる。
【００３５】
閾値設定部２０８５ａは、ユーザによる指示に従い又は自動で、温度閾値を設定する。温度閾値は、設定温度に対する閾値である。また、閾値設定部２０８５ａは、温度閾値の設定に加え、ユーザによる指示に従い又は自動で、時間閾値を設定してもよい。時間閾値は、ショーケース２の庫内温度が設定温度に対して温度閾値以上である時間に対する閾値である。閾値設定部２０８５ａにより設定される温度閾値及び時間閾値は、ショーケース２の種類及びショーケース２に陳列される商品の種類等に応じて適宜設定される。例えば、閾値設定部２０８５ａは、温度閾値を＋５℃程度とする。また、例えば、閾値設定部２０８５ａは、時間閾値を１〜３分程度とする。
【００３６】
取得部２０８６ａは、サーミスタ２０７により計測された庫内温度を取得する。
【００３７】
判定部２０８７ａは、取得部２０８６ａにより取得された庫内温度が設定温度に対して温度閾値以上であるかを判定することで、フェイルセーフ制御の実施要否を判定する。なお、閾値設定部２０８５ａにより温度閾値及び時間閾値が設定されている場合には、判定部２０８７ａは、取得部２０８６ａにより取得された庫内温度が設定温度に対して温度閾値以上である時間が時間閾値以上である場合に、フェイルセーフ制御の実施要と判定する。また、判定部２０８７ａは、フェイルセーフ制御が有効である場合にのみ上記判定を行う。
【００３８】
次に、図４に示すショーケースコントローラ２０８の動作例について、図５を参照しながら説明する。なお、制御設定部２０８４ａはフェイルセーフ制御を有効に設定し、閾値設定部２０８５ａは温度閾値及び時間閾値を設定しているものとする。また、ショーケース２は通常状態では冷却処理を行っているものとする。
ショーケースコントローラ２０８の動作例では、まず、通信部２０８２ａは、上位コントローラ１から非冷開始指令を示す電文を受信したかを判定する（ステップＳＴ５０１）。ステップＳＴ５０１において通信部２０８２ａが上記電文を受信していないと判定した場合、シーケンスはステップＳＴ５０１に戻る。
【００３９】
一方、ステップＳＴ５０１において通信部２０８２ａが上記電文を受信したと判定した場合、制御部２０８３ａは、当該電文が示す非冷開始指令に従って、冷却処理を終了して非冷処理を開始する（ステップＳＴ５０２）。
【００４０】
次いで、通信部２０８２ａは、上位コントローラ１から非冷終了指令を示す電文を受信したかを判定する（ステップＳＴ５０３）。
【００４１】
ステップＳＴ５０３において通信部２０８２ａが上記電文を受信したと判定した場合、制御部２０８３ａは、当該電文が示す非冷終了指令に従って、非冷処理を終了して冷却処理を開始する（ステップＳＴ５０４）。これにより、ショーケース２は通常状態に戻り、シーケンスは終了する。
【００４２】
一方、ステップＳＴ５０３において通信部２０８２ａが上記電文を受信していないと判定した場合、取得部２０８６ａは、サーミスタ２０７により計測された庫内温度を取得する（ステップＳＴ５０５）。
【００４３】
次いで、判定部２０８７ａは、取得部２０８６ａにより取得された庫内温度が設定温度に対して温度閾値以上である時間が時間閾値以上であるかを判定する（ステップＳＴ５０６）。ステップＳＴ５０６において判定部２０８７ａが庫内温度が設定温度に対して温度閾値以上である時間が時間閾値以上ではないと判定した場合、シーケンスはステップＳＴ５０３に戻る。
【００４４】
一方、ステップＳＴ５０６において判定部２０８７ａが庫内温度が設定温度に対して温度閾値以上である時間が時間閾値以上であると判定した場合、判定部２０８７ａはフェイルセーフ制御の実施要と判定し、制御部２０８３ａは、非冷処理を終了して冷却処理を開始する（ステップＳＴ５０７）。これにより、ショーケース２は自発的に通常状態に戻り、シーケンスは終了する。
【００４５】
例えば図６では、上位コントローラ１が、あるショーケース２に対し、８：００から８：１０の期間を非冷処理を実施させる期間として設定している。この状況において、上位コントローラ１が、８：０５に停電し、８：１５に復電したとする。この場合、８：１０の時点では、上位コントローラ１は停電状態であるため、上位コントローラ１からショーケース２に対して非冷終了指令は実施されず、ショーケース２は８：１０以降も非冷処理を継続する。その後、上位コントローラ１は８：１５に復電するが、上位コントローラ１からショーケース２に対して非冷終了指令は再実施されない。
【００４６】
一方、実施の形態１に係るショーケース２は、庫内温度に応じてフェイルセーフ制御を実施する。例えば図６に示すように、８：１５の時点で、ショーケースコントローラ２０８は、庫内温度が設定温度に対して温度閾値以上である場合に、フェイルセーフ制御を実施し、非冷処理を終了して冷却処理を開始する。これにより、ショーケースコントローラ２０８は、ショーケース２の庫内温度の上昇を回避し、陳列されている商品の品質維持が実現できる。なお図６では、時間閾値が０である場合を想定している。
【００４７】
以上のように、この実施の形態１によれば、ショーケース２は、上位コントローラ１からの非冷開始指令及び非冷終了指令に従って非冷処理を行う制御部２０８３ａと、庫内温度を取得する取得部２０８６ａと、取得部２０８６ａにより取得された庫内温度が設定温度に対して温度閾値以上であるかを判定することで、フェイルセーフ制御の実施要否を判定する判定部２０８７ａとを備え、制御部２０８３ａは、判定部２０８７ａによりフェイルセーフ制御の実施要と判定された場合に、非冷処理を終了して冷却処理を行う。これにより、実施の形態１に係るショーケース２は、上位コントローラ１から非冷終了指令が実施されなかった場合でも、自発的に非冷処理から冷却処理へ移行可能となる。すなわち、ショーケース２は、上位コントローラ１が停電した場合、上位コントローラ１との間で通信異常が生じた場合、ショーケース２が停電した場合、及びスケジュールの設定ミスにより非冷処理期間が長く設定された場合等であっても、自発的に非冷処理から冷却処理へ移行可能となる。
【００４８】
実施の形態２．
実施の形態１では、ショーケース２が、庫内温度に基づいて自発的に非冷処理から冷却処理へ移行する場合を示した。これに対し、実施の形態２では、ショーケース２が、上位コントローラ１との間での通信異常を検知することで自発的に非冷処理から冷却処理へ移行する場合を示す。冷却システムの構成例及びショーケース２の構成例は、図１，３に示す実施の形態１に係る冷却システムの構成例及びショーケース２の構成例と同様である。
【００４９】
図７は実施の形態２に係る上位コントローラ１の構成例を示す図である。
上位コントローラ１は、図７に示すように、スケジュール設定部１０１ｂ、非冷電文生成部１０２ｂ、定時電文生成部１０３ｂ及び通信部１０４ｂを備えている。
【００５０】
スケジュール設定部１０１ｂは、ショーケース２毎に、ショーケース２に対する非冷制御に関するスケジュールを設定する。
【００５１】
非冷電文生成部１０２ｂは、ショーケース２に対する非冷制御に関する指令を示す電文を生成する。すなわち、非冷電文生成部１０２ｂは、非冷開始指令を示す電文及び非冷終了指令を示す電文を生成する。
【００５２】
定時電文生成部１０３ｂは、ショーケース２毎に、定時電文を生成する。定時電文は、一定の周期でショーケース２に対して送信される電文である。
【００５３】
通信部１０４ｂは、上位コントローラ１とショーケース２との間で通信を行う。この通信部１０４ｂは、スケジュール設定部１０１ｂにより設定されたスケジュールに従い、非冷電文生成部１０２ｂにより生成された電文を該当するショーケース２に送信する。すなわち、通信部１０４ｂは、スケジュールが示す非冷開始時刻に、非冷電文生成部１０２ｂにより生成された非冷開始指令を示す電文を該当するショーケース２に送信する。また、通信部１０４ｂは、スケジュールが示す非冷終了時刻に、非冷電文生成部１０２ｂにより生成された非冷終了指令を示す電文を該当するショーケース２に送信する。また、通信部１０４ｂは、一定の周期で、定時電文生成部１０３ｂにより生成された定時電文を該当するショーケース２に送信する。
【００５４】
図８は実施の形態２に係るショーケースコントローラ２０８の構成例を示す図である。
ショーケースコントローラ２０８は、図８に示すように、記憶部２０８１ｂ、通信部２０８２ｂ、制御部２０８３ｂ、制御設定部２０８４ｂ及び判定部２０８５ｂを備えている。
【００５５】
記憶部２０８１ｂは、ショーケースコントローラ２０８で扱う各種のデータを記憶する。
記憶部２０８１ｂとしては、例えば、ＲＡＭ、ＲＯＭ、フラッシュメモリ、ＥＰＲＯＭ、ＥＥＰＲＯＭ等の不揮発性又は揮発性の半導体メモリ、磁気ディスク、フレキシブルディスク、光ディスク、コンパクトディスク、ミニディスク、又はＤＶＤ等が該当する。
【００５６】
なおここでは、記憶部２０８１ｂがショーケース２の内部に設けられた場合を示している。しかしながら、これに限らず、記憶部２０８１ｂはショーケース２の外部に設けられていてもよい。
【００５７】
通信部２０８２ｂは、ショーケース２と上位コントローラ１との間で通信を行う。この通信部２０８２ｂは、上位コントローラ１から電文を受信する。
【００５８】
制御部２０８３ｂは、上位コントローラ１からの指令に従って非冷処理を行う。すなわち、制御部２０８３ｂは、上位コントローラ１からの非冷開始指令に従って、冷却処理を終了して非冷処理を開始する。また、制御部２０８３ｂは、上位コントローラ１からの非冷終了指令に従って、非冷処理を終了して冷却処理を開始する。
また、制御部２０８３ｂは、判定部２０８５ｂによりフェイルセーフ制御の実施要と判定された場合に、非冷処理を終了して冷却処理を開始する。
【００５９】
制御設定部２０８４ｂは、ユーザによる指示に従い又は自動で、フェイルセーフ制御を有効又は無効に設定する。フェイルセーフ制御は、ショーケース２が、非冷処理を実施中に、上位コントローラ１から非冷終了指令が無い場合でも、自発的に非冷処理を終了して冷却処理を開始する制御を指す。なお、ショーケース２に商品が陳列されていない場合等のように、非冷処理が本来よりも長く継続されても問題がない場合等には、制御設定部２０８４ｂは、フェイルセーフ制御を無効に設定してもよい。
【００６０】
なお、制御設定部２０８４ｂは、ショーケースコントローラ２０８に必須の構成ではなく、ショーケースコントローラ２０８から取除かれていてもよい。この場合、フェイルセーフ制御は常に有効とされる。
【００６１】
判定部２０８５ｂは、制御部２０８３ｂによる非冷処理の開始後、通信部２０８２ｂによる定時電文の受信が無く且つ非冷終了時刻に相当する時刻を経過した場合に、フェイルセーフ制御の実施要と判定する。また、判定部２０８５ｂは、フェイルセーフ制御が有効である場合にのみ上記判定を行う。
【００６２】
次に、図８に示すショーケースコントローラ２０８の動作例について、図９を参照しながら説明する。なお、制御設定部２０８４ｂはフェイルセーフ制御を有効に設定しているものとする。また、ショーケース２は通常状態では冷却処理を行っているものとする。
ショーケースコントローラ２０８の動作例では、まず、通信部２０８２ｂは、上位コントローラ１から非冷開始指令を示す電文を受信したかを判定する（ステップＳＴ９０１）。ステップＳＴ９０１において通信部２０８２ｂが上記電文を受信していないと判定した場合、シーケンスはステップＳＴ９０１に戻る。
【００６３】
一方、ステップＳＴ９０１において通信部２０８２ｂが上記電文を受信したと判定した場合、制御部２０８３ｂは、当該電文が示す非冷開始指令に従って、冷却処理を終了して非冷処理を開始する（ステップＳＴ９０２）。
【００６４】
次いで、通信部２０８２ｂは、上位コントローラ１から非冷終了指令を示す電文を受信したかを判定する（ステップＳＴ９０３）。
【００６５】
ステップＳＴ９０３において通信部２０８２ｂが上記電文を受信したと判定した場合、制御部２０８３ｂは、当該電文が示す非冷終了指令に従って、非冷処理を終了して冷却処理を開始する（ステップＳＴ９０４）。これにより、ショーケース２は通常状態に戻り、シーケンスは終了する。
【００６６】
一方、ステップＳＴ９０３において通信部２０８２ｂが上記電文を受信していないと判定した場合、判定部２０８５ｂは、通信部２０８２ｂにより定時電文が受信されているかを判定する（ステップＳＴ９０５）。ステップＳＴ９０５において判定部２０８５ｂが通信部２０８２ｂにより定時電文が受信されていると判定した場合、シーケンスはステップＳＴ９０３に戻る。
【００６７】
一方、ステップＳＴ９０５において判定部２０８５ｂが通信部２０８２ｂにより定時電文が受信されていないと判定した場合、判定部２０８５ｂは、非冷終了時刻に相当する時刻を経過したかを判定する（ステップＳＴ９０６）。なお、非冷終了時刻は、例えば、上位コントローラ１がショーケース２に対して送信する電文に情報として含めることで、ショーケース２で把握可能である。このステップＳＴ９０６において判定部２０８５ｂが上記時刻を経過していないと判定した場合には、シーケンスはステップＳＴ９０３に戻る。
【００６８】
一方、ステップＳＴ９０６において判定部２０８５ｂが上記時刻を経過したと判定した場合、判定部２０８５ｂはフェイルセーフ制御の実施要と判定し、制御部２０８３ｂは、非冷処理を終了して冷却処理を開始する（ステップＳＴ９０７）。これにより、ショーケース２は自発的に通常状態に戻り、シーケンスは終了する。
【００６９】
以上のように、この実施の形態２によれば、ショーケース２は、上位コントローラ１からの非冷開始指令及び非冷終了指令に従って非冷処理を行う制御部２０８３ｂと、上位コントローラ１から定時電文を受信する通信部２０８２ｂと、制御部２０８３ｂによる非冷処理の開始後、通信部２０８２ｂによる定時電文の受信が無く且つ非冷終了時刻に相当する時刻を経過した場合に、フェイルセーフ制御の実施要と判定する判定部２０８５ｂとを備え、制御部２０８３ｂは、判定部２０８５ｂによりフェイルセーフ制御の実施要と判定された場合に、非冷処理を終了して冷却処理を行う。これにより、実施の形態２に係るショーケース２は、上位コントローラ１から非冷終了指令が実施されなかった場合でも、自発的に非冷処理から冷却処理へ移行可能となる。すなわち、ショーケース２は、上位コントローラ１が停電した場合、及び上位コントローラ１との間で通信異常が生じた場合であっても、自発的に非冷処理から冷却処理へ移行可能となる。
【００７０】
なお、実施の形態１に係る冷却システムと実施の形態２に係る冷却システムとを組合わせてもよい。
【００７１】
最後に、図１０を参照して、実施の形態１，２に係るショーケースコントローラ２０８のハードウェア構成例を説明する。なお以下では、実施の形態１に係るショーケースコントローラ２０８のハードウェア構成例について説明するが、実施の形態２に係るショーケースコントローラ２０８についても同様である。
ショーケースコントローラ２０８における通信部２０８２ａ、制御部２０８３ａ、制御設定部２０８４ａ、閾値設定部２０８５ａ、取得部２０８６ａ及び判定部２０８７ａの各機能は、処理回路５１により実現される。処理回路５１は、図１０Ａに示すように、専用のハードウェアであってもよいし、図１０Ｂに示すように、メモリ５３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、又はＤＳＰ（Ｄｉｇｉｔａｌ  Ｓｉｇｎａｌ  Ｐｒｏｃｅｓｓｏｒ）ともいう）５２であってもよい。
【００７２】
処理回路５１が専用のハードウェアである場合、処理回路５１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。通信部２０８２ａ、制御部２０８３ａ、制御設定部２０８４ａ、閾値設定部２０８５ａ、取得部２０８６ａ及び判定部２０８７ａの各部の機能それぞれを処理回路５１で実現してもよいし、各部の機能をまとめて処理回路５１で実現してもよい。
【００７３】
処理回路５１がＣＰＵ５２の場合、通信部２０８２ａ、制御部２０８３ａ、制御設定部２０８４ａ、閾値設定部２０８５ａ、取得部２０８６ａ及び判定部２０８７ａの機能は、ソフトウェア、ファームウェア、又はソフトウェアとファームウェアとの組み合わせにより実現される。ソフトウェア及びファームウェアはプログラムとして記述され、メモリ５３に格納される。処理回路５１は、メモリ５３に記憶されたプログラムを読み出して実行することにより、各部の機能を実現する。すなわち、ショーケースコントローラ２０８は、処理回路５１により実行されるときに、例えば図５に示した各ステップが結果的に実行されることになるプログラムを格納するためのメモリ５３を備える。また、これらのプログラムは、通信部２０８２ａ、制御部２０８３ａ、制御設定部２０８４ａ、閾値設定部２０８５ａ、取得部２０８６ａ及び判定部２０８７ａの手順及び方法をコンピュータに実行させるものであるともいえる。ここで、メモリ５３としては、例えば、ＲＡＭ、ＲＯＭ、フラッシュメモリ、ＥＰＲＯＭ、ＥＥＰＲＯＭ等の不揮発性又は揮発性の半導体メモリ、磁気ディスク、フレキシブルディスク、光ディスク、コンパクトディスク、ミニディスク、又はＤＶＤ等が該当する。
【００７４】
なお、通信部２０８２ａ、制御部２０８３ａ、制御設定部２０８４ａ、閾値設定部２０８５ａ、取得部２０８６ａ及び判定部２０８７ａの各機能について、一部を専用のハードウェアで実現し、一部をソフトウェア又はファームウェアで実現するようにしてもよい。例えば、通信部２０８２ａについては専用のハードウェアとしての処理回路５１でその機能を実現し、制御部２０８３ａ、制御設定部２０８４ａ、閾値設定部２０８５ａ、取得部２０８６ａ及び判定部２０８７ａについては処理回路５１がメモリ５３に格納されたプログラムを読み出して実行することによってその機能を実現することが可能である。
【００７５】
このように、処理回路５１は、ハードウェア、ソフトウェア、ファームウェア、又はこれらの組み合わせによって、上述の各機能を実現することができる。
【００７６】
なお、本願発明はその発明の範囲内において、各実施の形態の自由な組合わせ、或いは各実施の形態の任意の構成要素の変形、若しくは各実施の形態において任意の構成要素の省略が可能である。
【符号の説明】
【００７７】
１  上位コントローラ、２  ショーケース、３  冷凍機、５１  処理回路、５２  ＣＰＵ、５３  メモリ、１０１ａ  スケジュール設定部、１０２ａ  非冷電文生成部、１０３ａ  通信部、１０１ｂ  スケジュール設定部、１０２ｂ  非冷電文生成部、１０３ｂ  定時電文生成部、１０４ｂ  通信部、２０１  陳列棚、２０２  通風路、２０３  吹き出し口、２０４  吸込み口、２０５  冷却器、２０６  空気循環用ファン、２０７  サーミスタ（温度計測部）、２０８  ショーケースコントローラ、３０１  圧縮機、３０２  ファン、３０３  圧縮機用インバータ、３０４  ファン用インバータ、２０８１ａ  記憶部、２０８２ａ  通信部、２０８３ａ  制御部、２０８４ａ  制御設定部、２０８５ａ  閾値設定部、２０８６ａ  取得部、２０８７ａ  判定部、２０８１ｂ  記憶部、２０８２ｂ  通信部、２０８３ｂ  制御部、２０８４ｂ  制御設定部、２０８５ｂ  判定部。
【図１】
2020180757.tif 000003
【図２】
2020180757.tif 000004
【図３】
2020180757.tif 000005
【図４】
2020180757.tif 000006
【図５】
2020180757.tif 000007
【図６】
2020180757.tif 000008
【図７】
2020180757.tif 000009
【図８】
2020180757.tif 000010
【図９】
2020180757.tif 000011
【図１０】
2020180757.tif 000012
【図１１】
2020180757.tif 000013